(57)【要約】    【課題】  複数種類の飲料を所定の比率で同時に供給することができる飲料供給容器を提供すること。    【解決手段】  本発明では、複数種類の飲料を貯留するとともに、これら複数種類の飲料を所定の比率で供給するための飲料供給容器(1)において、各飲料を貯留する貯留部(5,6)と、各飲料を供給する供給部(18,19)とを形成するとともに、この供給部(18,19)に供給口(16,17)の開口面積が供給する飲料の比率となるように供給口(16,17)を形成し、しかも、各貯留部(5,6)と供給口(16,17)との間に供給する飲料を一時的に溜めておくための溜り部(14,15)を形成して、この溜り部(14,15)に溜められた飲料が供給口(16,17)から供給されるように構成することにした。【選択図】      図１
2007020945.tif 000002
【特許請求の範囲】
【請求項１】
複数種類の飲料を貯留するとともに、これら複数種類の飲料を所定の比率で供給するための飲料供給容器において、
各飲料を貯留する貯留部と、各飲料を供給する供給部とを形成するとともに、この供給部に供給口の開口面積が供給する飲料の比率となるように供給口を形成し、しかも、各貯留部と供給口との間に供給する飲料を一時的に溜めておくための溜り部を形成して、この溜り部に溜められた飲料が供給口から供給されるように構成したことを特徴とする飲料供給容器。
【請求項２】
前記各貯留部は、各容積が供給する飲料の比率となるように形成したことを特徴とする請求項１に記載の飲料供給容器。
【請求項３】
前記各供給口は、飲料を供給するときに傾ける方向の長さを同一とし、飲料を供給するときに傾ける方向と直交する方向の長さを異ならせたことを特徴とする請求項１又は請求項２に記載の飲料供給容器。
【発明の詳細な説明】
【技術分野】
【０００１】
本発明は、複数種類の飲料を貯留するとともに、これら複数種類の飲料を所定の比率で供給するための飲料供給容器に関するものである。
【背景技術】
【０００２】
従来より、たとえば焼酎やウイスキーを飲む場合には、焼酎やウイスキーなどの酒類と水（湯）とをコップに所定の比率で注ぎ、コップの中で酒類と水（湯）とを混合して飲むようにしていた。
【０００３】
このように、コップに酒類と水（湯）とを所定の比率で注ぐ際には、それぞれを注ぐ人の目検討で注いでいたために、正確な比率で注ぐことは困難であり、所望の比率で注がれないことが多かった。
【０００４】
そのため、特許文献１に開示されている酒類等注ぎ容器に見られるように、酒類や水（湯）を貯留するための貯留部を仕切壁で区画して、酒類と水（湯）とをそれぞれ貯留する各貯留部の容積が酒類と水（湯）との所望の混合比率となるようにそれぞれの貯留部を形成した容器が考え出されている。
【特許文献１】特開２００２−３４５６１８号公報
【発明の開示】
【発明が解決しようとする課題】
【０００５】
ところが、上記従来の酒類等注ぎ容器では、容器をゆっくりと傾けてコップに酒類や水（湯）を注ぐ場合には、それぞれの貯留部の容積比で酒類と水（湯）とがコップに注がれるものの、通常の酌をする動作のように、容器を一気に傾けてコップに注ぎ、その後、直ちに容器を直立状態に戻す場合には、ほとんど同量の酒類と水（湯）とがコップに注がれてしまい、所望の比率で酒類と水（湯）とを注ぎ入れることができなかった。
【０００６】
これは、上記従来の酒類等注ぎ容器では、酒類と水（湯）との供給部分において酒類や水（湯）が大気に開放された状態となっており、供給部分での抵抗がほぼ等しくなっているために、容器を傾けた直後にはほぼ同量の酒類と水（湯）とが供給部分からコップに供給されてしまうからである。
【０００７】
上記従来の酒類等注ぎ容器では、容器を傾けた状態でしばらく静止していれば、所望の比率で酒類と水（湯）とを注ぐことができるが、そのような動作を飲酒時に行うことは非現実的であり、容器の使い勝手が悪く、このような容器を市場に普及させることができないでいた。
【課題を解決するための手段】
【０００８】
そこで、請求項１に係る本発明では、複数種類の飲料を貯留するとともに、これら複数種類の飲料を所定の比率で供給するための飲料供給容器において、各飲料を貯留する貯留部と、各飲料を供給する供給部とを形成するとともに、この供給部に供給口の開口面積が供給する飲料の比率となるように供給口を形成し、しかも、各貯留部と供給口との間に供給する飲料を一時的に溜めておくための溜り部を形成して、この溜り部に溜められた飲料が供給口から供給されるように構成することにした。
【０００９】
また、請求項２に係る本発明では、前記請求項１に係る本発明において、前記各貯留部は、各容積が供給する飲料の比率となるように形成することにした。
【００１０】
また、請求項３に係る本発明では、前記請求項１又は請求項２に係る本発明において、前記各供給口は、飲料を供給するときに傾ける方向の長さを同一とし、飲料を供給するときに傾ける方向と直交する方向の長さを異ならせることにした。
【発明の効果】
【００１１】
そして、本発明では、以下に記載する効果を奏する。
【００１２】
すなわち、請求項１に係る本発明では、複数種類の飲料を貯留するとともに、これら複数種類の飲料を所定の比率で供給するための飲料供給容器において、各飲料を貯留する貯留部と、各飲料を供給する供給部とを形成するとともに、この供給部に供給口の開口面積が供給する飲料の比率となるように供給口を形成し、しかも、各貯留部と供給口との間に供給する飲料を一時的に溜めておくための溜り部を形成して、この溜り部に溜められた飲料が供給口から供給されるように構成することにしているために、供給部での抵抗が供給口の開口面積に比例することになり、供給口の開口面積の比率に対応した所定の比率で各飲料を正確に供給することができる。
【００１３】
また、請求項２に係る本発明では、各貯留部の容積が供給する飲料の比率となるように形成しているために、各貯留部に貯留した各飲料が同時になくなることになり、各貯留部に各飲料を同時に補充することができるので、飲料の補充頻度を少なくすることができ、容器の使い勝手を向上させることができる。
【００１４】
また、請求項３に係る本発明では、各供給口の形状を、飲料を供給するときに傾ける方向の長さを同一とし、飲料を供給するときに傾ける方向と直交する方向の長さを異ならせることにしているために、容器の傾ける角度に依存することなく所定の比率で各飲料を各供給口から正確に供給することができる。
【発明を実施するための最良の形態】
【００１５】
以下に、本発明に係る飲料供給容器の具体的な構造について図面を参照しながら説明する。
【００１６】
本発明に係る飲料供給容器は、２種類以上の複数種類の飲料、たとえば、焼酎と水を貯留するとともに、これら複数種類の飲料を所定の比率で供給することができるものであり、以下の説明では２種類の飲料を貯留する構造のものについて説明をするが、これに限られず、複数種類の飲料を貯留する構造のものとすることもできる。
【００１７】
飲料供給容器１は、図１〜図６に示すように、上下に伸延した円筒状の容器本体２の上端側部に前後に突出状に伸延した中空状の供給筒体３を連設している。
【００１８】
容器本体２は、内部に断面視で略「へ」字状の仕切壁４を形成して、内部に飲料を貯留するための左右２個の貯留部5,6を形成している。
【００１９】
この左右２個の貯留部5,6は、同時に供給する飲料の比率に応じて貯留できる容積を異ならせており、たとえば、左側の貯留部５に貯留した飲料と右側の貯留部６に貯留した飲料との比率を６：４とする場合には、左側の貯留部５の容積と右側の貯留部６の容積の比率が６：４となるように仕切壁４を形成する。なお、仕切壁４は、たとえばプラスチック素材で形成して容器本体２の内部で変形できるようにし、左右の貯留部5,6の容積の比率を任意に変更できるようにしてもよい。
【００２０】
また、容器本体２は、上端部において蓋７を供給筒体３の上端部に連設している。これは、飲料を注ぐ際に飲料供給容器１を傾けたときに、容器本体２の上端部から飲料が漏れ出ないようにするためである。
【００２１】
容器本体２は、蓋７の後方において貯留部5,6の上方を開口させており、この開口部分から各貯留部5,6に飲料を補充することができるようになっている。
【００２２】
供給筒体3は、略矩形板状の前端壁８と、この前端壁８の上端部から容器本体２の上端部に向けて左右に拡幅した略台形板状の上端壁９と、前端壁８の左右端部から容器本体２の外周部に向けて上下に拡幅するとともに前端から後端に向けて左右幅方向に傾斜した左右一対の略台形板状の左右側壁10,11と、前端壁８の下端部から容器本体２の外周部に向けて左右に拡幅するとともに前端から後端に向けて前高後低状に傾斜した略台形状の下端壁12とを有しており、これらの前端壁８と上端壁９と左右側壁10,11と下端壁12とで容器本体２の上端側部に前後方向に向けて突出した中空角柱形状に形成している。
【００２３】
この供給筒体３は、内部に略台形板状の仕切壁13を形成し、この仕切壁13の前端部を前端壁８の内側面に連設するとともに、仕切壁13の後端部を容器本体２の内部に形成した仕切壁４の前端部に連設している。これにより、供給筒体３は、後端の開口部分が容器本体２の各貯留部5,6と連通連結している。
【００２４】
そして、供給筒体３は、飲料を注ぐ際に飲料供給容器１を傾けたときに、仕切壁13で区画された左右の中空部に各貯留部5,6に貯留された飲料が一時的に溜まることになる。すなわち、供給筒体３の仕切壁13で区画された左右の中空部は供給する飲料を一時的に溜めておくための溜り部14,15として機能することになる。
【００２５】
また、供給筒体３は、前端壁８に各溜り部14,15（各貯留部5,6）と連通する左右２個の開口状の供給口16,17を形成して左右２個の供給部18,19を形成している。
【００２６】
この左右２個の供給口16,17は、同時に供給する飲料の比率に応じて開口面積を異ならせており、たとえば、左側の貯留部５に貯留した飲料と右側の貯留部６に貯留した飲料との比率を６：４とする場合には、左側の供給口16の開口面積と右側の供給口17の開口面積の比率が６：４となるように各供給口16,17を形成する。なお、供給筒体３は、前端壁８を着脱自在に構成して、異なる比率で開口した供給口16,17を有する前端壁８を交換できるようにし、左右の供給口16,17から供給する飲料の比率を任意に変更できるようにしてもよい。
【００２７】
ここで、左右２個の供給口16,17は、図２に示すように、飲料を供給するときに傾ける方向（ここでは上下方向）の長さを同一とし、飲料を供給するときに傾ける方向と直交する方向（ここでは左右幅方向）の長さを異ならせた形状としている。具体的には、左側の供給口16を横長楕円形状とし、右側の供給口17を円形状としている。
【００２８】
飲料供給容器１は、以上のように構成しており、コップに飲料を供給するときには、図７に示すように、飲料供給容器１を前後に傾け、左右の供給口16,17から同時に２種類の飲料を供給する。
【００２９】
その際に、各貯留部5,6に貯留された飲料は、一時的に各溜り部14,15に溜められ、その後、各溜り部14,15から各供給口16,17を通過して外部に供給される。その時に、各飲料は、一時的に各溜り部14,15に溜められるために、各供給口16,17の開口部全体から外部に供給されることになる。これにより、各供給部18,19において飲料が受ける流動抵抗が各供給口16,17の開口面積によって決定されることになり、この各供給口16,17の開口面積によって決まる抵抗の比率に比例した量の飲料が各供給部18,19から供給されることになる。
【００３０】
このように、上記飲料供給容器１では、各飲料を貯留する貯留部5,6と、各飲料を供給する供給部18,19とを形成するとともに、この供給部18,19に供給口16,17の開口面積が供給する飲料の比率となるように供給口16,17を形成し、しかも、各貯留部5,6と供給口16,17との間に供給する飲料を一時的に溜めておくための溜り部14,15を形成して、この溜り部14,15に溜められた飲料が供給口16,17から供給されるように構成している。
【００３１】
そのため、上記飲料供給容器１では、各供給部18,19で各飲料が受ける流動抵抗が各供給口16,17の開口面積に比例することになり、供給口16,17の開口面積の比率に対応した所定の比率で各飲料を供給口16,17から正確に供給することができる。
【００３２】
また、上記飲料供給容器１では、各貯留部5,6の容積が供給する飲料の比率となるように形成している。
【００３３】
そのため、上記飲料供給容器１では、各貯留部5,6に貯留した各飲料が同時になくなることになり、各貯留部5,6に各飲料を同時に補充することができるので、飲料の補充頻度を少なくすることができ、飲料供給容器１の使い勝手を向上させることができる。
【００３４】
特に、上記飲料供給容器１では、各供給口16,17の形状を、飲料を供給するときに飲料供給容器１を傾ける方向の長さを同一とし、飲料を供給するときに飲料供給容器１を傾ける方向と直交する方向の長さを異ならせているために、飲料を供給するときに飲料供給容器１を傾ける角度に依存することなく、全ての供給口16,17の開口部分全体から飲料を供給することができるので、所定の比率で各飲料を各供給口16,17からより一層正確に供給することができる。
【図面の簡単な説明】
【００３５】
【図１】本発明に係る飲料供給容器を示す斜視図。
【図２】同正面図。
【図３】同右側面図。
【図４】同平面図。
【図５】同側面断面図。
【図６】同平面断面図。
【図７】溜り部（（a）は左側の溜り部、(b)は右側の溜り部）を示す断面図。
【符号の説明】
【００３６】
１  飲料供給容器                          ２  容器本体
３  供給筒体                              ４  仕切壁
5,6  貯留部                               ７  蓋
８  前端壁                                ９  上端壁
10,11  左右側壁                           12  下端壁
13  仕切壁                                14,15  溜り部
16,17  供給口                             18,19  供給部
【図１】
2007020945.tif 000003
【図２】
2007020945.tif 000004
【図３】
2007020945.tif 000005
【図４】
2007020945.tif 000006
【図５】
2007020945.tif 000007
【図６】
2007020945.tif 000008
【図７】
2007020945.tif 000009